【事件の表示】
　特許第３０２４８３１号「パチンコ機」の請求項１に係る特許に対する特許異議の申立てについて、次のとおり決定する。
【結　論】
　訂正を認める。
　特許第３０２４８３１号の請求項１に係る特許を維持する。
【理　由】
１．手続の経緯
　本件特許第３０２４８３１号の請求項１に係る発明（平成３年９月９日出願、平成１２年１月２１日設定登録）は、その特許について特許異議申立人河井清悦から特許異議の申し立てがなされ、取消理由が通知され、その指定期間内である平成１３年２月１日に訂正請求がなされたものである。
　
２．訂正について
(2-1)訂正の内容
訂正事項（a）
　【請求項１】を次のとおりに訂正する。
「裏機構盤上方側に設けた貯留タンタからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の下端部であって排出ユニットを分離する際にパチンコ球が障害とならないように半円状の切欠部が形成される排出ユニットに対する接続部分に位置して排出ユニットの着脱に応じて流路を開閉するシャッタ手段とを備えたことを特徴とするパチンコ機。」
　
訂正事項（b）
　【０００５】を次のとおりに訂正する。
「【課題を解決するための手段】
　そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の下端部であって排出ユニットを分離する際にパチンコ球が障害とならないように半円状の切欠部が形成される排出ユニットに対する接続部分に位置して排出ユニットの着脱に応じて流路を開閉するシャッタ手段とを備えた。」　
　
訂正事項（c）
　【００６５】を次のとおりに訂正する。
「【発明の効果】
　以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の下端部であって排出ユニットを分離する際にパチンコ球が障害とならないように半円状の切欠部が形成される排出ユニットに対する接続部分に位置して排出ユニットの着脱に応じて流路を開閉するシャッタ手段とを備えたので、排出ユニットの裏機構盤に対する着脱を単に容易に行えるばかりでなく、外す前の球抜きなども必要なくなるため、排出ユニットの保守点検などを能率良く短時間に処理することができる。」
　
訂正事項（d）
　【００６６】を次のとおりに訂正する。
「また、シャッタ手段は排出ユニットの着脱に応じて開閉するので、ユニットを外せば必ず流路を閉じるため、パチンコ球の脱落飛散に対する確実な防止機能が得られる。また、流路変換部材の下端部には排出ユニットを分離する際にパチンコ球が障害とならないように半円状の切欠部が形成されるので、排出ユニットを分離する際にシャッタ手段の下方で排出ユニットとの間に位置するパチンコ球が障害となることがない。」
　
(2-2)訂正の適否
　上記訂正事項（a）は、流路変換部材を限定するものであって、特許請求の範囲の減縮を目的とするものである。
　上記訂正事項（b）ないし（d）は、特許請求の範囲と発明の詳細な説明の記載との整合を図るものであって、明瞭でない記載の釈明を目的とするものである。
　これらの訂正事項は、特許明細書【００２６】「・・・また、両蛇行路５８の下端部には排出ユニット２３を分離する際にシャッタ６８下方で排出ユニット２３との間に位置するパチンコ球が障害とならないように半円状の切欠部７４が形成される。」及び【図１４】の記載に基づくものであり、願書に添付した明細書又は図面に記載した事項の範囲内であり、実質上特許請求の範囲を拡張し又は変更するものではない。
　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３．特許異議の申立てについて
(3-1)特許異議の申立ての概要
　本件の請求項１に係る発明は、甲第１号証に記載された発明であり、又は、甲第１号証ないし甲第４号証記載の発明に基いて当業者が容易に発明をすることができたものであるから、特許法第２９条第１項第３号に該当し、又は、同法第２９条第２項の規定に違反し、その特許は取り消されるべきものである。
　
(3-2)本件発明
　本件の請求項１に係る発明（以下、本件発明という。）は、訂正に係る訂正明細書の特許請求範囲の請求項１に記載されたとおりのものである。
　
(3-3)刊行物記載の発明
刊行物１：特開平３−８５１９０号公報（甲第１号証）
刊行物２：特開昭５４−５４７４３号公報（甲第２号証）
刊行物３：特開昭６２−１８１０７８号公報（甲第３号証）
刊行物４：実願昭５７−１０７４１９号（実開昭５９−１１７８４号）のマイクロフィルム（甲第４号証）
　
　刊行物１（特開平３−８５１９０号公報）には、次のことが記載されている。
「本発明はパチンコ機の景品球放出ユニットに係り、入賞球の発生により上下方向に移動する作動杆を連結した上下動板の上動と共に一定数の景品球放出する景品球放出機構をユニットケースの内部でユニット化し、該ユニットケースをパチンコ機裏面に取付ける構成にしたものである。」（１頁右欄７〜１２行）、　
「上方装置板４は前記のように転球板１の裏面に固定するもので、球タンク７及び球誘導樋８を取付け、球誘導樋８の下流端に案内板１０を垂直状に固定する。該案内板１０は本発明の上流の樋材の一例をなすもので、上方側部に球誘導樋８の誘導溝９に連通する入口孔１１を設け、下端に出口孔１２を設け、該下端の左右両側にガイド１３、１４を対立させて設けると共に、それらのガイド１３、１４に左右両側を嵌めて前後方向への移動を可能にした玉切板１５を設け、その玉切板１５に後方への押出ばね１７を掛け、玉切板１５を押出ばね１７の弾力に抗して前方に押込むと案内板１０の出口孔１２に整合する玉切溝１６を玉切板１５に設け、玉切板１５の上側に側方を向いたばね性のＣ形断面の第１係止片１８を設け、玉切板１５の上側に後方を向いたばね性のＣ形断面の第２係止片１９を設ける。
　２１は本発明の景品球放出ユニット２０のユニットケースであって、適当な位置に裏面から表面（転球板１の裏面）に通る筒形取付孔２２を設け、ケース２１の上面に上流の樋材の一例をなす案内板１０の出口孔１２に整合する玉入口２３を形成した景品球通路２４を設ける。その通路２４には一側壁２５の一部に、ローラ軸２６にローラ２７を嵌めて、球の直径に合致するピッチの隙間２８をローラ２７の間に設けてなる。
　ケース２１の上側に、案内板１０の第１係止片１８を弾拡して蕨まる円形材３０を設けた第１可動連結片２９と、案内板１０の第２係止片１９を弾拡して嵌まる円形材３２を設けた第２可動連結片３１とを、第１可動連結片２９は側方に、第２可動連結片３１は後方に夫々がほぼ水平に倒れるように軸支してなり、殊に第２可動連結片３１は円形材３２を第２係止片１９に嵌込む連結のとき、玉切板１５を該第２可動連結片３１の押圧面３３により押出ばね１７の弾力に逆らって押込み、出口孔１２、玉切溝１６及び玉入口２３を合致させて球誘導樋８の誘導溝９の球をケース２１内の景品球通路２４に流れ込ませる。」（３頁左上欄１２行〜右下欄５行）。
　
　刊行物２（特開昭５４−５４７４３号公報）には、次のことが記載されている。
「本発明の目的は、開閉部材の閉鎖時には、賞球供給部材の出口と開閉部材の入口とを連通接続し、開閉部材の解放時には賞球供給部材の出口を遮断閉鎖して賞球のこぼれ落ちを未然に防止することができるパチンコ機を提供することである。」（１頁右欄７〜１１行）、　
「メインセット（３１）の開閉にあたってこれに連通される球流出防止機構（８８）について説明する。すなわち、メインセット（３１）の開放時には、第９図（ａ）のように球止め部材（８９）は、押圧ばね（９４）の附勢力にてただちに図示Ｐ矢印方向へ旋回動され、同部材（８９）のストッパー面（１０２）がカバー樋板（１９Ｂ）の内壁面に当接してその位置で保持される。この部材（８９）の回動に伴い第１、第２の球止め片（９８）（９９）が前記各カーブレール樋（１９）（１９）の出口（１９ａ）（１９ｂ）内の中央部に突入移動され、各出口（１９ａ）（１９ｂ）内を閉鎖して樋内の球（Ｂ）の流出、さらにはこぼれ落ちを良好に阻止する。
　次にメインセット（３１）の閉鎖時には、該メインセット（３１）の閉鎖過程において、閉鎖直前位置で、第９図（ｂ）のように賞球ケース（５３）の後セット１０板（５３Ａ）上端部が球止め部材（８９）の係止片（１０１）に当接係合する。
そしてしかる後球止め部材（８９）はメインセット（３１）の閉鎖に伴い押圧ばね（９４）の附勢力に抗しながら図示Ｑ矢印方向へ旋回動される。そして、メインセット（３１）の定位置への閉鎖セット完了後には、球止め部材（８９）は元状態に復帰されこれに伴い、各球止め片（９８）（９９）がカーブレール樋（１９）（１９）の各出口（１９ａ）（１９ｂ）外に退動される一方、各連通溝（９６）（９７）が出口（１９ａ）（１９ｂ）内の球（Ｂ）の流出開口面と整合連通されて出口（１９ａ）（１９ｂ）を開口し、各収納樋（５４）（５５）側と連通状態とする。これにより樋内の球が各収納樋（５４）（５５）内に流出し得る状態とされるものである。
　このように、本例での球流出防止機構（８８）は、メインセット（３１）の開閉に伴い連動される球止め部材（８９）の開閉動作によってカーブレール樋（１９）（１９）内の球（Ｂ）の流出と遮断とをなし得るものである。」（７頁右上欄１行〜左下欄１５行）。
　
　刊行物３（特開昭６２−１８１０７８号公報）には、次のことが記載されている。
「パチンコ球排出装置用収納部１０との上方には、補給樋６３から流下するパチンコ球をパチンコ球排出装置２８に供給・停止させるシャッタ装置を設ける。このシャッタ装置は、補給樋６３から分岐した球補給路の下端出口、即ち第８図に示すように球通路検出用のパルス発生装置５６の孔５７から流出する球を貯留タンク２９に導く孔５８が設けられ、この孔５８は前後に移動自在で、且つ付勢部材としてのばね５９で常時前方に索引されたシャッタ部材６０で塞ぐ構成である。なお、シャッタ部材６０には孔６１が孔５７，５８と一致しない部分に設けられている。したがって、パチンコ球排出装置用収納部１０内にパチンコ球排出装置２８を装入しない状態においては、シャッタ部材６０がばね５９の付勢により前進し、孔５７を塞いでいる。この状態でパチンコ球排出装置用収納部１０内にパチンコ球排出装置２８を差し込むと、収納本体３０の上後構成は貯留タンク２９の上後端がシャッタ部材６０の舌片状の受部６２を押圧し、シャッタ部材６０をばね５９の付勢に抗して後退させる。シャッタ部材６０が後退すると孔６１が孔５７，５８に一致するので補給樋６３から分岐したシュート６４，蛇腹管６５などの球補給路がパチンコ球排出装置２８側の球流路、或は貯留タンク２９に連通する。したがって、補給樋６３からシュート６４等を介して貯留タンク２９内に球が補給可能となる。」（４頁右上欄１２行〜左下欄１９行）、
「一方、収納本体３０をパチンコ球排出装置用収納部１０から引き出すと、コイン樋４９の出口がコイン排出樋４９，の入口から離脱するとともに、シャッタ部材６０がばね５９の付勢により戻り移動して孔５７，５８を塞ぎ、球排出路からの球を落下させない。したがって、パチンコ球排出装置２８の修理や交換の際に、収納本体３０をパチンコ球排出装置用収納部１０から簡単に取り外すことができ、このとき補給樋６３，シュート６４，蛇腹管６５等の球補給路に球が充満していても、これらの球が流出して散乱するおそれがない。」（４頁６〜１７行）。
　
　刊行物４（実願昭５７−１０７４１９号（実開昭５９−１１７８４号）のマイクロフィルム）には、次のことが記載されている。
「固定板（Ａ）に対し、玉計数器（Ｂ）を装着するには、第４図、第３図に示すように玉計数器（Ｂ）の支板（１８）の上辺縁の隅角部を、固定板（Ａ）に突設した袋形打抜き突片（１５），（１５）′内を上昇させ、下辺縁の隅角部が袋形打抜き突片（１６），（１６）′を越えたところで下降させることにより、支板（１８）を固定板（Ａ）の袋形打抜き突片（１５），（１５）′；（１６），（１６）′中に係止する。
　このとき、玉計数器（Ｂ）の玉管路部（Ｃ）は、その上端の円筒部（１９）が、保持具（ａ）の案内突片（９），（９）′に案内される状態になって、案内突片（９），（９）′は円筒部（１９）に内接して納まり、コイルばね可撓管（１）と玉管路部（Ｃ）との軸線は一致し、コイルばね可撓管（１）の内壁、案内突片（９），（９）′の内面、玉管路部（Ｃ）の角筒部（２０）の内壁は同一面となり、玉の流下に支障のない流路が形成される。
　一方、玉管路部（ｃ）の上昇にて、その上方円筒部（１９）の辺縁（２３）が、固定板（Ａ）に設けられた流下玉の阻止具（ｂ）の進出していた阻止片（１３）を、その傾斜面（１４）により後退させ、阻止片（１３）の先端部を玉管路部（ｃ）の円筒部（１９）の外面に当接させる。
　このような状態において使用中に、玉計数器（Ｂ）を、それの故障、あるいは交換、その他で固定板（Ａ）から取外す必要が生じた場合、玉計数器（Ｂ）の支板（１８）を上昇させると、支板（１８）の下辺縁の隅角部が、固定板（Ａ）の袋形打抜き突片（１６），（１６）′より脱出するので、支板（１８）を引き下げれば外ずれる。この場合、スプリング（１２）にて弾発されている阻止片（１３）は、玉管路部（ｃ）の上端の円筒部（１９）が、保持具（ａ）の案内突片（９），（９）′より外れると同時に、案内突片（９）の割溝（１０）を通ってコイルばね可撓管（１）の下端下方に進出し、流下する玉を阻止する。」（５頁１８行〜７頁８行）。
　
(3-4)対比・判断
　本件発明と刊行物１記載の発明とを対比すると、刊行物１記載の発明の「上方装置板４、下方装置板５」、「球タンク７」、「球誘導樋８」、「景品球放出ユニット２０のユニットケース２１」、「案内板１０」、「玉切板１５」が、それぞれ、本件発明の「裏機構板」、「貯留タンク」、「誘導樋」、「排出ユニット」、「流路変換部材」、「シャッター手段」に相当し、両者は、「裏機構盤上方側に設けた貯留タンタからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の排出ユニットに対する接続部分に位置して流路を開閉するシャッタ手段とを備えたパチンコ機。」である点で一致し、本件発明が（イ）「流路変換部材の下端部であって排出ユニットを分離する際にパチンコ球が障害とならないように半円形の切欠部が形成される排出ユニットに対する接続部分に位置して排出ユニットの着脱に応じて流路を開閉するシャッタ手段とを備えた」ものであるのに対し、刊行物１記載の発明はこのような構成を備えていない点で、両者は相違する。
　
　上記相違点を検討すると、パチンコ機において、流路変換部材（カーブレール樋１９）に対する排出ユニット（賞球ケース５３（メインセット３１））の着脱に応じて流路を開閉するシャッタ手段を備えたものは刊行物２に記載されており、また、パチンコ機に備えられるパチンコ球排出装置や玉計数器において、部材の着脱に応じて流路を開閉するシャッタ手段を備えたものは刊行物３及び刊行物４に記載されているが、いずれも、本件発明の上記（イ）「流路変換部材の下端部であって排出ユニットを分離する際にパチンコ球が障害とならないように半円形の切欠部が形成される排出ユニットに対する接続部分に位置して排出ユニットの着脱に応じて流路を開閉するシャッタ手段とを備えた」の構成は記載されていない。
　本件発明は、刊行物１ないし４に記載されていない本件発明の上記（イ）の構成により、図１２や図１３にも明示されているように、シャッタ６８によりその上下の流路が分離されたときに、分離される排出ユニット２３に、シャッタ６８の下方に位置して、その流路に連続してパチンコ球が溜まり、この排出ユニット２３に残ったパチンコ球のうち、最も上にあるものは、シャッタ６８が閉じたときには、その直ぐ下に位置することになるが、排出ユニット２３に残ったパチンコ球のうち、最上位にあるものは、排出ユニット２３を水平方向に引き出して（図１の手前側へと）分離するときに、シャッタ６８の下面のすれすれのところを通過することがあり、このときに流路変換部材の下端部には、半円形の切欠部７４があるため、排出ユニット２３に乗ったままパチンコ球がこの切欠部７４を通過するので、排出ユニット２３の分離の障害となることがないという格別の効果を奏する。（もし、この切欠部７４が無いと、例えば図２２に示す、排出ユニット２３の流路１０９から少しでも頭を出した状態で最上位のパチンコ球があると、排出ユニット２３を抜き出すときに、このパチンコ球が、図１２などに示す、流路変換部材のシャッタ６８の下方の側壁に当たって、通り抜けができず、排出ユニット２３の分離するときの障害になってしまう。）
　したがって、本件発明は、刊行物１記載の発明であるとも、刊行物１ないし４に記載の発明に基いて当業者が容易に発明をすることができたものであるともいえない。
　
(3-5)まとめ
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月２０日（２００１．６．２０）
【訂正の要旨】
訂正の要旨
訂正事項（ａ）
　【請求項１】を、特許請求の範囲の減縮を目的として、次のとおりに訂正する。
「裏機構盤上方側に設けた貯留タンタからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
訂正事項（ｂ）
　【０００５】を、明瞭でない記載の釈明を目的として、次のとおりに訂正する。
「【課題を解決するための手段】
　そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
訂正事項（ｃ）
　【００６５】を、明瞭でない記載の釈明を目的として、次のとおりに訂正する。
「【発明の効果】
　以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
訂正事項（ｄ）
　【００６６】を、明瞭でない記載の釈明を目的として、次のとおりに訂正する。
「また、シャッタ手段は排出ユニットの着脱に応じて開閉するので、ユニットを外せば必ず流路を閉じるため、パチンコ球の脱落飛散に対する確実な防止機能が得られる。
また、流路変換部材の下端部には排出ユニットを分離する際にパチンコ球が障害とならないように半円状の切欠部が形成されるので、排出ユニットを分離する際にシャッタ手段の下方で排出ユニットとの間に位置するパチンコ球が障害となることがない。
（５４）【発明の名称】
パチンコ機
（５７）【特許請求の範囲】
　【請求項１】裏機構盤上方側に設けた貯留タンタからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
【発明の詳細な説明】
　【０００１】
　【産業上の利用分野】この発明はパチンコ機に関する。
　【０００２】
　【従来の技術】パチンコ機の裏面側の構成としては、機の裏機構盤に貯留タンクからのパチンコ球を整流しながら流下させる緩やかな下り傾斜の誘導樋と、そのパチンコ球を機前面側（遊技者側）の供給皿および受け皿へ所定数排出する排出ユニットが設けられ、賞球などの排出要求の発生時にこの排出ユニットを作動させることでその要求数に応じたパチンコ球を遊技者側に排出するようにしたものがよく知られている。このように所定数のパチンコ球を排出する排出ユニットの排出機構は、駆動源にソレノイドやモータ等を使用し、実際にパチンコ球の流下を規制あるいは許容する機構としてカムやスプロケット等が使用されている。
　【０００３】
　【発明が解決しようとする課題】このように所定数のパチンコ球を排出する排出ユニットは、入賞に伴う賞球を遊技者側に排出するたびに頻繁に作動するので、構成部品の摩耗や駆動部の劣化が早く、パチンコ機の他の部分に比べて頻繁に交換する必要がある。そこで、排出ユニットの保守点検及び交換を容易に行えるように排出ユニットを裏機構盤に対して着脱可能にするのが好ましいが、この場合、排出ユニットを取り外す前に排出ユニット上流から貯留タンクの内部に残るパチンコ球の脱落飛散を回避するため、貯留タンク内の球を排出（球抜き）させなければならず、これでは、球抜き作業に煩わされてせっかくのユニット化も十分な効果が得られない。なお、従来のパチンコ機においても誘導樋の下流部に球止めが設けられてはいるが、この球止めによりパチンコ球の流下を阻止したとしても、球止め下流つまり誘導樋を垂直方向へ案内する流路変換部から排出ユニットに至る部分球が残ってしまうため、これらの球を脱落飛散させないように注意しながらユニットを外すか、あるいは外す前に球抜きを行うことが必要となる。
　【０００４】この発明はこのような問題点を簡単な対策手段により解決することを目的とする。
　【０００５】
　【課題を解決するための手段】そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
　【０００６】
　【作用】排出ユニットの保守点検時などの際には排出ユニットを裏機構盤から外すと、これに伴ってシャッタ手段が閉じる。これにより、流路変換部材の排出ユニットに対する接続部分が遮断され、貯留タンクからのパチンコ球をせき止めるので、下方の裏機構盤への球の脱落防止が効果的に図れる。また、シャッタ手段は保守点検などの終了後に排出ユニットを裏機構盤にセットすると、これに伴って流路を開く。したがって、排出ユニットの着脱を単に容易に行うことができるばかりでなく、外す前の球抜きなども必要なくなるので、排出ユニットの保守点検などを能率良く短時間に処理することが可能となる。
　【０００７】
　【実施例】図１はパチンコ機１裏側の全体構成を示すもので、前面枠２の裏面には裏機構盤３が取り付けられ、裏機構盤３の右側下部に打球発射装置４の発射レバー、モータなどが配設される。５は前面枠２を開閉可能に支持する機枠で、前面枠２のフレーム内には遊技盤（図示せず）が着脱可能に取り付けられる。なお、パチンコ機１の片側には図示しない専用のカード式球貸し機が付設され、そのカードリーダにカードを挿入した状態で球貸しボタンを押すと、カードの残高度数の範囲でボタンの１回のオンにつき所定数の貸し球が後述する球排出装置２１を介してパチンコ機前面の供給皿もしくは受け皿に排出されるようになっている。
　【０００８】裏機構盤３は図２でも示すように球貯留タンク７からのパチンコ球を前面側の供給皿および受け皿に導く排出樋８の下流部などを備える合成樹脂の一体成型品で、そり背面側に各種ユニット部品などが組み付けられる。なお、裏機構盤３の中央部には遊技盤裏面の機構部に対応する形状の窓９が開口され、裏側から窓９を開閉するカバー（図示せず）が取り付けられる。１０は遊技盤裏面の集合樋からの入賞球を払出ユニット１６を介してパチンコ機１後方の回収樋へと排出する導出樋６を備える入賞球処理部、１１は球貯留タンク７内のパチンコ球の玉不足を検出するための検出器１２などのハーネスを束ねた信号回線、１３は供給皿へのガイド壁を保護する強度部材、１４は排出樋８の下流部を覆うカバー、１５は電源の配電盤を示す。
　【０００９】図１において、１６は導出樋６内の入賞球を賞球の排出終了毎に１個ずつ排出させる入賞球払出ユニットで、その内部に入賞球の有無を検出する検出器ならびに払出機構が収装される。１７は入賞球検出器の球有り検出に基づく賞球の排出および球貸し機からの指令に基づく貸し球の排出を処理する排出制御回路、１８は打球発射装置４の制御回路、１９は遊技状況に対応する各種遊技音などを出力するスピーカ、２０は球貸し機側との間で信号を授受する中継盤である。
　【００１０】球排出装置２１は球貯留タンク７からのパチンコ球を２列に整流しながら流下させる誘導樋ユニット２２と、排出樋の上流部を構成する排出ユニット２３および流路切換ユニット２４を備え、それぞれ裏機構盤３の所定位置にて取外し可能に組み付けられる。なお、組付け状態において誘導樋ユニット２２の下流部から排出ユニット２３および流路切換ユニット２４にかけてこれらを一体に覆うカバー（図示せず）が設けられる。２５Ａと２５Ｂはカバー取付け用の係止穴を示す。
　【００１１】球貯留タンク７は図３，図４のように合成樹脂で箱型に一体成型したもので、その傾斜底壁２６の最下部に開口２７が形成される。傾斜底壁２６はタンク右側から開口２７へと収束する中央の傾斜面２６Ａとその両翼を形成する傾斜面２６Ｂとからなり、中央傾斜面２６Ａの中間位置に上下方向へ揺動可能な可動壁２８が設けられる。なお、タンク７の内部にはパチンコ球の荷重を全体に平均化するため、深さが増す開口付近の一部を上げ底にする隆起部２９が形成される。
　【００１２】可動壁２８はタンク７の傾斜底壁２６に開口した切除口３０を塞ぐように嵌め合わせ、傾斜底壁２６に対する上端側でレバー状の突起３１にてタンク下面の取付片３２に軸３３を介して回動自由に取り付けられる。可動壁２８の下端はタンク７の外側へＬ字状に折り曲げられ、この折曲部３４の軸３３を中心とする円弧状の湾曲面に可動壁２８のタンク内側への進入を規制する小突起３５が形成される。可動壁２８を小突起３５の規制位置に付勢するのがバネ３６で、バネ３６は両端を可動壁２８とタンク７の下面にそれぞれ突き当てた状態で軸３３回りに取り付けられる。
　【００１３】したがって、可動壁２８はタンク７内が所定量以上のパチンコ球で満たされるとその荷重で傾斜底壁２６の一部を形成するように押し下げられ、このとき上端側のレバー状突起３１がタンク下面に係止してそれ以上の回動を規制する。この状態からタンク７内のパチンコ球が減ってくるごバネ力によって可動壁２８は次第にタンク内側へと押し上げられ、今度は下端側の小突起３５がタンク下面に係止してそれ以上の回動を規制するのである。
　【００１４】球貯留タンク７を裏機構盤３に取り付けるため、図５のように裏機構盤３の上部にはタンク７の前面側を受け入れる窪み状の凹部３７が形成され、凹部３７の両側にそれぞれ盤面から垂直に突出するボス部３８が上下に３個ずつ配設される。タンク７の両側には裏機構盤３のボス部３８に対する結合構造４０を持つフランジ３９が設けられる。
　【００１５】結合構造４０は図６，図７のように上位と下位のボス部３８Ａ，３８Ｃを抱持する略円筒型の係合部４０Ａ，４０Ｃと、中間のボス部３８Ｂに嵌合する座面部４０Ｂと、上位ボス部３８Ａの係合穴３８ａとの固定部材としてのクリップ４０ａ（フランジ後面側のつまみを押し引きすると前面側の係止部が拡縮する）と、下位ボス部３８Ｃの挿入穴３８ｃに対するピン４０ｃとからなり、中間ボス都３８Ｂと座面部４０Ｂを結合する補助固定部材としてのネジ（図示せず）を備える。
　【００１６】このため、タンク７は前面側を凹部３７内に納めた状態で両側の結合構造４０にて裏機構盤３に固定することができる。この場合、結合構造４０の係合部などはすべてこれらに対応するボス部３８と盤面の垂直方向に嵌合するので、タンク７内に貯留されるパチンコ球の荷重を十分に支持できる。また、タンク７を裏機構盤３の盤面に対して垂直方向から取り付けたり取り外したりできるので、これらの作業に対して盤面上のスペースを無駄に空ける必要もない。なお、タンク７内の荷重はタンク７を外す方向（盤面と直交する方向）へ作用することがないので、クリップ４０ａの係合力で抜け止めが十分であれば、あえて補助固定部材としてのネジを使用しなくても良い。
　【００１７】球貯留タンク７の玉不足検出器１２は接点の開閉でオンーオフするもので、接点の作動子４１をタンク７の可動壁２８側に向けて裏機構盤３側に配置される。この場合、検出器１２はタンク内の玉不足を表示するランプ（例えばパチンコ機の前面枠上部に設けられる）とタンクにパチンコ球を補給する作動機構との制御系が別のために２個を並べて、裏機構盤３の凹部３７下方に形成した収納部４２内に取り付けられる（図５参照）。
　【００１８】そして、これらの検出器１２はタンク内のパチンコ球の貯留量が所定値以上で可動壁２８がレバー突起３１の規制位置に押し下げられた状態のときにオフすると共に、パチンコ球の貯留量が減って可動壁２８がバネ３６で押し上げられるとオンするようになっている。
　【００１９】ところで、検出器１２と可動壁２８の位置関係であるが、検出器１２の作動子４１が可動壁２８の下面と直に接触可能な場合、タンク７の取付け時などで可動壁２８が作動子４１に触れてこれを損傷する恐れがあるので、検出器１２は図８，図９のように裏機構盤３の凹部３７つまりタンク７の前面側の直下で可動壁２８と重ならない位置関係に設定される。
　【００２０】この場合、検出器１２の収納部４２は盤面からタンク７の凹部３７とほぼ同じ深さに窪ませて形成され、また可動壁２８の下面にはタンク７のセット状態で検出器１２の作動子４１に懸かるように延びる押圧片４３が付設される。押圧片４３の先端は上向きの傾斜部４４に形成され、これによりタンク７の取付け時などで検出器１２の作動子４１に無理な力が作用するのを防ぐようになっている。
　【００２１】図３，図４において、４５は前面枠２の開閉時にタンク７から後方ヘパチンコ球がこぼれるのを防止するための側壁に嵌め付ける付設部材で、その上部は多数の小片を林立したフェンス状に形成される。また、４６は誘導樋ユニット２２の平行路内に垂れ下がる玉ナラシで、タンク７下面の取付片３２に軸４７を介して回動自由に支持される。
　【００２２】球貯留タンク７の開口２７から落下するパチンコ球を排出樋８の上流部に導く誘導樋ユニット２２は、図１０，図１１のようにパチンコ球を２列に整流しながら緩やかに流下させる上流部５０と、そのパチンコ球を垂直方向への蛇行路に案内する下流部５１とからなり、上流部５０の樋内には平行路５２を画成する分流壁５３が設けられる。なお、分流壁５３は樋下流に向かって段階的に高さが増す（最終的にはパチンコ球の径以上の高さに立ち上がる）ように形成される。
　【００２３】下流部５１はケース状の第１と第２の流路構成部材５４、５５を基板５６を挟んで組み付けることにより作られ、その内部の基板５６両側に上流部５０の平行路５２とＵターン路５７を介して接続する垂直方向の蛇行路５８が形成される。下流部５１の内部には図１２，図１３のように各Ｕターン路５７の直前で樋の上に架設した軸５８にて上下方向へ揺動自由な可動片５９と、可動片５９の揺動から樋内のパチンコ球の玉切れ状態を検出する検出器６０が設けられる。なお、図１２は下流部５１内の一方の樋を、図１３は他方の樋をそれぞれ示す。
　【００２４】検出器６０としては可動片５７の進入を許容するゲート型の光センサが使用され、パチンコ球の連続により可動片５９がゲート型のセンサ６０内に押し上げられるとオフすると共に、パチンコ球の流下が途切れて可動片５９が樋内に降下するとオンするようになっている。検出器６０は共通の配線版６１（接続コネクタ６２を備える）に並べて取り付けられ、これを下流部の所定位置に組み込むため、片側の構成部材５５に取付け用の穴６３とその蓋片６４が設けられる（図１１参照）。また、可動片５９の取付位置であるが、検出器６０が可動片５９の降下によってオンするときに可動片５９の下流側（２系統の樋内）に排出待機球として貸し球の１回分の排出数以上のパチンコ球が残るように設定される。６５は上流部５０からのパチンコ球の重なりを押さえるガイド板で、下流部５１の入口付近にて軸６６を介して上下方向へ揺動自由に支持され、平行路５２上にかぶさるように幾分か反りぎみに延びる先端側にウエイト６７を備える。
　【００２５】蛇行路５８は基板５６を挟んで前後に隣接するのであり、互いに曲がり具合を変えて左右にオフセットした状態で開口する下端部へとつながるように形成される。各蛇行路５８の下端部には球の脱落防止用のシャッタ６８が設けられる、シャッタ６８は図１４，図１５のように一枚の平板を両蛇行路５８の平面上の位置関係に対応する段付き形状に形成したもので、下端開口部内に前後方向へ摺動（開閉）自由に支持される。シャッタ６８を閉じ位置に付勢するのがバネ６９で、後述する排出ユニット２３との接続時にその挿入壁によりバネ６９の付勢力に抗してシャッタ６８を開き位置に押し込めるように蛇行路５８間に位置してスリット状の嵌合孔７０が設けられる。なお、シャッタ６８はバネ６９と共に、片側の構成部材５４に形成した取付け用の穴から組み付けられるのであり、バネ６９は穴の蓋部材７１とシャッタ６８のバネ受け７２の間でこれら中央にピン７３ａ，７３ｂを介して支持される（図１１参照）。
　【００２６】そして、シャッタ６８は排出ユニット２３との分離時に蛇行路５８内を連続するパチンコ球があればこれを押し分けるように閉じ作動するが、その際パチンコ球の間ヘスムーズに挿入しやすくするため、段付き形状の先端に刃のような傾斜面が形成される。また、両蛇行路５８の下端部には排出ユニット２３を分離する際にシャッタ６８下方で排出ユニット２３との間に位置するパチンコ球が障害とならないように半円状の切欠部７４が形成される。
　【００２７】誘導樋ユニット２２を裏機構盤３に取り付けるため、図１６〜図１８のように上流部５０の下面中央には樋に沿ってその荷重を水平に支持するためのリブ７５が立設され、リブ７５上にクリップ７６ａおよびネジの取付穴７７ａが設けられる。また、平行路５２の上流側には裏機構盤３に面する一方の樋壁側に盤面と当接するフランジ７８が、下流側には他方の樋壁にパチンコ球の重みで樋の奥行き方向に作用する曲げモーメントを支持するためのフランジ７９がそれぞれ形成される。なお、フランジ７８上にはクリップ７６ｂおよびネジの取付穴７７ｂが、フランジ７９上にはクリップ７６ｃが設けられる。７６ｄはユニット下流部５１のクリップ、７６ｄはネジの取付穴である。
　【００２８】裏機構盤３には誘導樋ユニット２２の取付位置にリブ７５を載置する水平の支持壁８０が突設される。また、リブ７５およびフランジ７９などとの対向面にボス部８１，８２が配設され、これらのボス部８１，８２にそれぞれクリップ７６ａ，７６ｃ，７６ｄに対する係合穴８１ａ，８１ｃ，８１ｄまたはネジに対するネジ穴８２ａ，８２ｃ，８２ｄが形成される。なお、盤面上にはフランジ７８との接触面にクリップ７６ｂとの係合穴８１ｂならびにネジ穴８２ｂが設けられる。
　【００２９】そして、誘導樋ユニット２２は裏機構盤３の支持壁８０上に載せてリブ７５およびフランジ７８，７９などを介してクリップ７６ａ〜７６ｄやネジで結合することにより取り付けられるのであり、この場合リブ７５と支持壁８０により樋内の荷重に対して上流側から下流側にかけて樋の中央にてバランス良く支持でき、ユニット上流部５０を所定の傾斜角度にしっかりと保持、つまり経時的な傾斜角度の変化を有効に防止できる。また、平行路５２の上流側と下流側で裏機構盤３に面する一方の樋壁側のフランジ７８と他方の樋壁のフランジ７９にてクリップ７６ｂ，７６ｃなどにより奥行き方向の前後でも支持するようにしたので、パチンコ球の重みによる曲げモーメントに対しても良好な支持剛性が得られることになる。
　【００３０】図１１において、ユニット上流部５０の平行路５２にはそれぞれ球貯留タンク７の開口２７に臨む位置から下流側にかけて路面の補強を兼ねる導電性の金属板９０が取り付けられる。金属板９０はパチンコ球のおびる静電気などを接地するためのもので、路面とほぼ同一幅の帯状に作られ、その両側に複数の折曲片９１と片側にアース用の接続端子９２が一体形成される。そして、金属板９０は図１９のように路面両側のスリット９３に折曲片９１を差し込むと共に、樋下面則で折曲片９１を内側に折り曲げることにより固定されるのであり、その際リブ７５が曲げ加工の邪魔となるため、この例ではリブ７５の付け根に小さな開口９４を設け、この開口９４を利用して反対側から工具を挿入することで容易に曲げ加工が行えるようになっている。なお、図２０，図２１のように折曲片９１の差込み時に内側への曲げを促す傾斜状態にスリット９３を形成したり、リブ７５の両面に同じく傾斜突起９５を形成したりしても良く、これにより折曲片９１の先端側がリブ７５から離間するので、後の曲げ加工が容易となる。両金属板９０の接続端子９２は互いにリブ７５側のスリットに挿入され、誘導樋ユニット２２の取付け状態でリブ７５の切欠き９６に臨ませて盤面に立設した接続用の支柱９７に重ね合わせて結合される（図１７参照）。
　【００３１】排出ユニット２３は図２２〜図２５のようにケース状の第１と第２の流路構成部材１００と１０１ならびにカバー部材１０２を重ね合わせることにより作られ、その内部に誘導樋ユニット２２側の蛇行路５８に接続する調整路１０３が形成される。調整路１０３は主に上流側の垂直部１０４と下流側の傾斜部１０５とからなり、傾斜部１０５の下端付近でパチンコ球の流下を規制するストッパ機構１０６（排出機構）ならびにその直ぐ上流で排出球を検出する検出器１０７が設けられる。
　【００３２】ここで、調整路１０３は蛇行路５８下端の平面上の位置関係にそれぞれ対応する導入部１０９から前後方向の同一位置に並んで開口する導出部１１０へと、互いに裏機構盤３に対する取付方向の左右に隣接しながら前後に流路が曲がるように形成される。
　【００３３】ストッパ機構１０６は傾斜部１０５内に対してそれぞれ進退可能な一対の係止部材１１１と、これらをおのおの進退させるソレノイド１１２などから構成される。係止部材１１１は先端側が鈎型状に形成され、傾斜部１０５の側方にてその基部を介して軸１１３により揺動自由に支持される。係止部材１１１の先端は揺動軌跡と一致する円弧状の球阻止面に形成され、基部の近傍（軸１１３に対してオフセットする位置）にはリンク１１４を介してソレノイド１１２がピン結合される。
　【００３４】傾斜部１０５の樋壁には係止部材１１１の先端側に対応するスリット１１５が形成される。なお、係止部材１１１およびスリット１１５の傾斜部１０５に対する位置関係であるが、係止部材１１１の進入状態において傾斜部１０５内に２個のパチンコ球が並ぶように設定される。
　【００３５】ソレノイド１１２の非通電状態では係止部材１１１が傾斜部１０５内に進入してその球阻止面によってパチンコ球の流下を規制する。この状態からソレノイド１１２に通電されると、リンク１１４を介して係止部材１１１が傾斜部１０５内から後退し、パチンコ球の流下を許容する。そして、ソレノイド１１２の通電が断たれると、リターンスプリング１１６の付勢力により係止部材１１１が初期状態に戻り、傾斜部１０５内に進入して再びパチンコ球の流下を規制するのである（図２４，図２５参照）。
　【００３６】排出球の検出器１０７はパチンコ球の１個ずつの通過を許容するゲート型で、係止部材１１１の進入状態において先頭に続く２番目のパチンコ球のほぼ中央を囲う位置にて傾斜部１０５内に設置され、パチンコ球の排出に伴ってオンーオフ信号を出力する。なお、検出器１０７は傾斜部１０５内でゲート型の両側がそれぞれ樋壁内側に幾分か突出するので、パチンコ球の検出器１０７へのスムーズな通過を確保するため、調整路１０３の両側樋壁には流路の中心に沿って検出器１０７の突出部と同じ高さに連なるガイト突起１２０が形成される。
　【００３７】ところで、調整路１０３は上流側の垂直部１０４および下流側の傾斜部１０５などによってパチンコ球の流下時の速度や間隔を適正に保つもので、とくに垂直部１０４から傾斜部１０５に至る屈曲部１２１にて垂直部１０４の底壁１２２からのパチンコ球を所定角度で傾斜壁１２３に当てることで一定の速度と間隔をもって傾斜部１０５へと落下させるようになっている。垂直部１０４の底壁１２２はパチンコ球の流下圧が大きく作用するので、耐摩耗性および緩衝性に優れる別部材の構成部品を用いて交換可能に設けられる。
　【００３８】なお、１３０はソレノイド１１２と検出器１０７の配電盤で、排出制御回路１７側との接続コネクタ１３１と後述する流路切換ユニット２４側との接続コネクタ１３２を備える。そして、配電盤１３０は排出ユニット２３後面側の収納部１３４内にセットされるのであり、片側の構成部材１００に収納部１３４の蓋部材１３５が設けられる。
　【００３９】排出ユニット２３を裏機構盤３に取り付けるため、図２６のように裏機構盤３の窓９右側には嵌合凹部１３５が設けられる。嵌合凹部１３５は流路切換ユニット２４の取付スペースも一体に形成したもので、凹部１３５の縁には両ユニット２３，２４を上下に位置決めするためのフランジ片１３６が、また凹部１３５の片側には排出ユニット２３下部を支持する係止部１３７と、流路切換ユニット２４下部を係止する抜止め部１３８が配設される。また、排出ユニット２３の取付位置側方には凹部１３５にセットされる排出ユニット２３背面を係止する爪１３９付きの側壁１４０が盤面上に立設される。
　【００４０】排出ユニット２３はセット方向の前面側が嵌合凹部１３５との段付き係合部１４１に、また下部が流路切換ユニット２４上部との段付き係合部１４２に形成され、ユニット２３上面には誘導樋ユニット２２との接続に際して下流部５１のスリット状の嵌合孔７０に進入してシャッタ６８を押し開く挿入壁１４３が突設される。
　【００４１】そして、排出ユニット２３は裏機構盤３の後方から前面側の段付き係合部１４１を嵌合凹部１３５にセットすると共に、背面側から側壁１４０の爪１３９で係止することによって取り付けられる。この場合、ユニット２３内部の調整路１０３を裏機構盤３に対して左右に隣接しながら前後に流路が曲がるように形成することで、ストッパ機構１０６を流路の前後位置に配設できるのであり、したがって盤面上への重なりを少なく、つまり設置スペースの大幅な縮小が可能となる。
　【００４２】ところで、排出制御回路１７（図１参照）であるが、玉切れ検出器６０のオフを条件に入賞球払出ユニット１６内の検出器の球有り検出時に賞球の排出を、また球貸し機からの排出要求に対して貸し球の排出を制御するもので、賞球の非出時には球排出機構１０６のソレノイド１１２を駆動すると共に検出器１０７からの信号をもとに排出数をカウントし、これが所定の賞球数に達するとソレノイド１１２の駆動を停止する。また、この賞球の排出終了時に払出ユニット１６内の検出器からの信号に基づいて入賞球を１個排出するように払出機構を制御する。
　【００４３】貸し球の排出時には同じく要求数に応じて球排出機構１０６のソレノイド１１２の駆動を制御すると共に、この排出終了時に球貸し機にカード残高度数の減算処理などを指令する排出終了信号を出力するのである。
　【００４４】なお、排出制御回路１７は球排出機構１０６のソレノイド１１２に対して排出要求数の多少に応じて片側の係止部材のみからの交互排出と両側の係止部材からの同時排出の制御を選択的に行うようになっている。
　【００４５】流路切換ユニット２４は図２７〜図３１のように側面部材１５０，１５１と基板１５２，１５３を一組みずつ並べて重ね合わすことにより構成され、これらの側面部材１５０，１５１と基板１５２，１５３の間におのおの排出ユニット２３の調整路１０３に接続する２系統の分流路１５４が形成される。なお、一方の分流路１５４は側面部材１５１の基板１５３との対向面に一体成型した樋壁により、他方の分流路１５４は基板１５２の側面部材１５０との対向面に一体成型した樋壁によりそれぞれ作られる。
　【００４６】各分流路１５４は上流側の垂直部１５５と下流側の蛇行部１５６ならびに分岐部１５７とからなり、分岐部１５７の入口に開閉扉１５８が配設される。各開閉扉１５８は下端基部で２枚の基板１５２，１５３を貫通する軸１５９の両側にて回動自由に支持され、同じく基板１５２，１５３のガイド孔１６０を貫通するロッド１６１で互いに連結される。軸１５９の中間にはレバー部材１６２がくの字状の中央部にて回動自由に取り付けられ、その一端は長孔１６３を介して開閉扉１５８間の連結ロッド１６１に係合され、他端は流路切換え用のソレノイド１６４にリンク１６５を介してピン結合される。
　【００４７】つまり、両側の開閉扉１５８は１個のソレノイド１６４により一体的に駆動され、閉じ状態（ソレノイド１６４の非通電時）で図３１（Ａ）のように分岐部１５７を遮断する一方、開き時（ソレノイド１６４の通電状態）には図３１（Ｂ）のように分岐部１５７を垂直部１５５に接続すると共に蛇行部１５６側を遮断する。なお、開閉扉１５８を閉じ位置と開き位置で係止する凹状のシート部１６６が垂直部１５５両側の樋壁にそれぞれ形成される。１６７はソレノイドのリターンスプリングを示す。
　【００４８】そして、流路切換ユニット２４は前面側が裏機構盤３の嵌合凹部１３５との段付き係合部１６８に形成され、排出ユニット２３と同じく裏機構盤３の後方から段付き係合部１６８を嵌合凹部１３５にセットすると共に抜止め部１３８で係止することによって取り付けられのであり、この状態で蛇行部１５６は裏機構盤３側の排出樋８に接続される（図２６参照）。また、流路切換ユニット２４の上部には排出ユニット２３下部の段付き係合部１４２を受け入れる接続凹部１６９が左右の側面部材１５０と１５１間に形成される。
　【００４９】係合部１６８の内側にはそれぞれ側面部材１５０，１５１と基板１５２，１５３の間で分岐部１５７から下方へ延びる断面コの字型の溝１７０が設けられ、嵌合凹部１３５内に分岐部１５７を裏機構盤３の前面側に一体成型した球抜き樋（図示せず）へとつなげる連絡路を形成するようになっている。なお、嵌合凹部１３５の下端には連絡路を球抜き樋に開口する穴（図示せず）が設けられる。
　【００５０】ところで、垂直部１５５の底壁１７１は排出ユニット２３側から落下するパチンコ球が勢いよく当たるので、耐摩耗性および緩衝性に優れる別部材の構成部品を用いて交換可能に取り付けられる。この構成部品１７１は蛇行部１５６のガイド壁を形成するデルタ形状部１７２と、分岐部１５７入口の下壁を構成するブロック形状部１７３とからなり、各分流路１５４毎に１個ずつそれぞれデルタ形状部１７２およびブロック形状部１７３に嵌合する係合突起１７４Ａ，１７４Ｂを介して基板１５２，１５３と側面部材１５０，１５１の間に固定される。構成部品１７１は開閉扉１５８との位置関係からブロック形状部１７３の上面に扉１５８の基部を囲うような円弧状の凹部１７５が、またデルタ形状部１７２とブロック形状部１７３の間に後述する針金など異物の侵入防止部材１７６を取り付けるための切欠部１７７が形成される。１７８はブロック形状部１７３に形成した緩衝用の空隙である。
　【００５１】蛇行部１５６はパチンコ球の流下速度を適度に減衰させるもので、またパチンコ機１前面側の供給皿または受け皿から針金などを侵入させて排出ユニット２３のストッパ機構１０６を開こうとする不正行為に対する防止機能も備えるが、この場合さらに完全な不正防止を図るため、蛇行部１５６の下流側の屈曲部分を上方から遮断する異物の侵入防止ゲート１７６が設けられる。この防止ゲート１７６は構成部品１７１の切欠部１７７内に位置する一端で軸１７９を介して回動自由に支持され、自重によって垂れ下がる閉じ位置から切欠部１７７内の範囲で下流側への回動、つまりパチンコ球の流下方向にのみ樋を開くようになっている。なお、防止ゲート１７６の閉じ位置から上流側への回動は切欠部１７７の内面と樋壁の係止段部１８０により規制される。
　【００５２】また、蛇行部１５６の上流側の屈曲部分にはカーブ外壁の上部にて接線方向に深く窪む溝１８１が形成され、下流側からの侵入する針金などに対してその先端を溝１８１で捉えて上流側への侵入をくい止めるようになっている。
　【００５３】なお、排出ユニット２３ならびに流路切換ユニット２４はそれぞれソレノイド１１１，１１２および１６４を内蔵するので、これらの設置部に放熱孔１９０が形成される（図２２，図２８参照）。また、流路切換ユニット２４には保守点検時などで蛇行部１５６に溜まる埃を除去するための掃除孔１９１が設けられる。
　【００５４】裏機構盤３側の排出樋は図３２のように流路切換ユニット２４下流側の左右に並ぶ蛇行部１５６に開口する合流路１８２に形成され、合流路１８２の上流側にパチンコ機１前面の供給皿につながる導出口１８３が設けられる。合流路１８２の下流側は緩やかな傾斜部１８４を介して同じく受け皿に接続される。
　【００５５】導出口１８３へのガイド壁には強度部材１３によりパチンコ球を受け入れる皿状の導入部１８５が設けられ、導入部１８５の斜め上方から蛇行部１５６との開口部１８６直下へと延びる球受け１８７が樋壁に一体形成される。
　【００５６】したがって、流路切換ユニット２４からのパチンコ球は球受け１８７に沿って導入部１８５に落下し、まず導出口１８３から供給皿へと排出されるのであり、供給皿がパチンコ球で一杯になると導入部１８５からこぼれ落ちて傾斜部１８４を介して受け皿へと排出されるようになっている。
　【００５７】裏機構盤３には前面側の凹部空間を利用して嵌合凹部１３５の下端に接続する球抜き樋が形成され、流路切換ユニット２４の分岐部１５７からのパチンコ球を遊技盤のアウト球ならびに払出ユニット１６からの入賞球と同じくパチンコ機１後方の回収樋へと排出する。
　【００５８】なお、パチンコ機１の裏機構全体の排出動作であるが、球貯留タンク７からのパチンコ球は誘導樋ユニット２２から排出ユニット２３へと導かれ、通常状態において樋内に進入する係止部材１１１により流下が規制される。
　【００５９】そして、遊技盤の入賞口に遊技球が入賞すると、入賞球はすべて遊技盤裏側の集合樋に入り、その下方の払出ユニット１６に導かれ、いったん流下が阻止される。入賞球検出器が球有り検出により賞球の排出要求が発生すると、排出ユニット２３のソレノイド１１２が駆動され係止部材１１１を所定の作動時間だけ開き状態に変換する。
　【００６０】これにより、パチンコ球は排出ユニット２３から流路切換ユニット２４の蛇行部１５６および排出樋８の下流部を通してパチンコ機１前面の供給皿もしくは受け皿へと排出されるのであり、排出球検出器１０７にて検出されるパチンコ球のカウント値が要求数にも達すると、ソレノイド１１２の停止により係止部材１１１が閉じ状態に戻される。
　【００６１】その場合、係止部材１１１は調整路１０３によりこれを流下するパチンコ球の速度と間隔が適正に保たれるので、閉じ作動（樋内への進入）もパチンコ球を噛んだりすることがなく容易に行え、したがって排出エラーの発生は極めて少なくなる。
　【００６２】賞球の排出が完了すると、払出機構の作動により１個の入賞球が排出されるのであり、検出器が次の入賞球により球有りを検出すると、再び賞球の排出要求が発生することになる。
　【００６３】また、球貸し機に基づく貸し球の排出要求の発生時には排出ユニット２３のソレノイド１１２がその要求数に応じて前記と同様に制御され、係止部材１１１を介して貸し球を排出させる。なお、貸し球はパチンコ機１前面の球貸しボタンを押すことで、カードの残高度数の範囲で繰り返し排出可能となる。
　【００６４】そして、球貯留タンク７内のパチンコ球は賞球および貸し球の排出に伴って次第に減ってくるが、玉不足検出器１２が可動壁２８の揺動によってオンすると、一定量のパチンコ球がタンク７内に補給されるのである。
　【００６５】
　【発明の効果】以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の下端に接続され、この流路を略垂直方向へと向けながら排出ユニットの流路に接続する流路変換部材と、流路変換部材の
下端部であって排出ユニットを分離する際にパチンコ球が障害とならないように半円状の切欠部が形成される
　【００６６】また、シャッタ手段は排出ユニットの着脱に応じて開閉するので、ユニットを外せば必ず流路を閉じるため、パチンコ球の脱落飛散に対する確実な防止機能が得られる。
また、流路変換部材の下端部には排出ユニットを分離する際にパチンコ球が障害とならないように半円状の切欠部が形成されるので、排出ユニットを分離する際にシャッタ手段の下方で排出ユニットとの間に位置するパチンコ球が障害となることがない。
【図面の簡単な説明】
　【図１】パチンコ機裏面の全体構成図である。
　【図２】裏機構盤の分解斜視図である。
　【図３】球貯留タンクの斜視図である。
　【図４】球貯留タンクの分解斜視図である。
　【図５】球貯留タンクの取付説明図である。
　【図６】タンク結合部分の斜視図である。
　【図７】タンク結合部分の断面図である。
　【図８】タンク可動壁と玉不足検出器の位置関係を示す説明図である。
　【図９】タンク可動壁と玉不足検出器の位置関係を示す説明図である。
　【図１０】誘導樋ユニットの斜視図である。
　【図１１】誘導樋ユニットの分解斜視図である。
　【図１２】誘導樋ユニット下流部の一方の樋形状図である。
　【図１３】誘導樋ユニット下流部の他方の樋形状図である。
　【図１４】誘導樋ユニット下流部の一部斜視図である。
　【図１５】誘導樋ユニット下流部のシャッタの作動説明図である。
　【図１６】誘導樋ユニットの取付説明図である。
　【図１７】誘導樋ユニット取付状態の一部斜視図である。
　【図１８】誘導樋ユニット取付状態の側面図である。
　【図１９】導電性金属板の取付状態の一例を示す説明図である。
　【図２０】導電性金属板の取付状態の一例を示す説明図である。
　【図２１】導電性金属板の取付状態の一例を示す説明図である。
　【図２２】排出ユニットの斜視図である。
　【図２３】排出ユニットの分解斜視図である。
　【図２４】排出ユニットの一方の樋形状図である。
　【図２５】排出ユニットの他方の樋形状図である。
　【図２６】排出ユニットならびに流路切換ユニットの取付説明図である。
　【図２７】流路切換ユニットの後面側の斜視図である。
　【図２８】流路切換ユニットの前面側の斜視図である。
　【図２９】流路切換ユニットの一方の樋形状部の分解斜視図である。
　【図３０】流路切換ユニットの他方の樋形状部の分解斜視図である。
　【図３１】開閉扉の作動説明図である。
　【図３２】排出樋下流部の樋形状図である。
　【符号の説明】
３　裏機構盤
７　球貯留タンク
１２　玉不足検出器
２２　誘導樋ユニット
２３　排出ユニット
２４　流路切換ユニット
２８　可動壁
３０　切除口
３１　レバー状突起
３５　小突起
３６　バネ
３８Ａ，３８Ｃ　ボス部
３９　取付フランジ
４０Ａ，４０Ｃ　係合部
４０ａ　クリップ
４１　玉不足検出器の作動子
４３　押圧片
４４　押圧片の先端傾斜部